(57)【要約】【課題】  記録媒体に記録された情報を消去する方法と装置、その記録媒体及びその方法を行うプログラムが記録されたコンピュータ判読可能な記録媒体を提供する。【解決手段】  前記記録媒体に備えられた記録管理領域に記録された記録パワーに関するテスト結果情報を検索する段階と、前記テスト結果情報が検索されればそのテスト結果情報を再生する段階と、再生したテスト結果に基づいた記録パワーを使用して前記記録媒体の所定情報が既に記録されたユーザーデータ領域の少なくとも一部領域にユニークパターンを記録する段階と、を含むことを特徴とする記録媒体に記録された情報を消去する方法。これにより、その記録特性をさらに向上させうる。【選択図】  図３Ａ
2004319083.tif 000002
【特許請求の範囲】
【請求項１】
記録媒体に記録された情報を消去する方法において、
前記記録媒体に備えられた記録管理領域に記録された記録パワーに関するテスト結果情報を検索する段階と、
前記テスト結果情報が検索されればそのテスト結果情報を再生する段階と、
再生したテスト結果に基づいた記録パワーを使用して前記記録媒体の所定情報が既に記録されたユーザーデータ領域の少なくとも一部領域にユニークパターンを記録する段階と、
を含むことを特徴とする方法。
【請求項２】
前記ユニークパターンが記録された領域が、消去されかつ将来の記録のために備えられた領域であることを表す表示子を前記記録媒体に保存する段階をさらに含むことを特徴とする請求項１に記載の方法。
【請求項３】
前記表示子は前記記録媒体のリードイン領域に保存される消去情報であることを特徴とする請求項２に記載の方法。
【請求項４】
消去情報は前記記録されたユニークパターンの位置を表す位置ポインタを含むことを特徴とする請求項３に記載の方法。
【請求項５】
記録媒体に記録された情報を消去する方法において、
前記記録媒体に備えられた記録管理領域に記録された記録パワーに関するテスト結果情報を検索する段階と、
前記テスト結果情報検索で前記テスト結果情報が検索されなければ前記記録媒体に備えられたパワーコントロール領域で記録パワーをテストする段階と、
前記記録パワーテスト結果に基づいた記録パワーを使用して前記記録媒体の所定情報が既に記録されたユーザーデータ領域の少なくとも一部領域にユニークパターンを記録する段階と、
を含むことを特徴とする方法。
【請求項６】
前記ユニークパターンが記録された領域が将来の記録のために利用可能な消去された領域であることを表す表示子を前記記録媒体に保存する段階をさらに含むことを特徴とする請求項５に記載の方法。
【請求項７】
前記表示子は前記記録媒体のリードイン領域に保存された消去情報であることを特徴とする請求項６に記載の方法。
【請求項８】
前記消去情報は前記記録されたユニークパターンの位置を表す位置ポインタを含むことを特徴とする請求項７に記載の方法。
【請求項９】
前記表示子は前記ユニークパターンの先頭のユーザーデータ領域に保存された前記ユーザーデータ領域の消去領域を表す記録フラグ情報であることを特徴とする請求項５に記載の方法。
【請求項１０】
前記記録パワーテストにおいて、
前記テストは前記記録媒体のリードイン領域に備えられたパワーコントロール領域に基づいて行われることを特徴とする請求項５に記載の方法。
【請求項１１】
記録媒体に情報を記録する装置において、
情報を前記記録媒体に記録するためのデータ形式に変調する変調部と、
レーザービームが前記記録媒体に照射されて前記変調部により変調された情報が前記記録媒体に記録されるようにレーザーダイオードを駆動するレーザー駆動部と、
前記レーザービームを受光し、受光されたレーザービームに関する情報を出力する受光部と、
前記情報を前記変調部に提供し、前記受光部から提供された前記レーザービームに関する情報を参照して前記変調された情報が前記記録媒体に記録されるように前記レーザー駆動部のパワーを制御する制御部と、を含み、
前記制御部は、前記受光部を通じて前記記録媒体から反射されたレーザービームを受光して前記記録媒体の記録管理領域に記録されたテスト結果情報を検索し、対応するテスト結果情報が検索されなければ、前記記録媒体に備えられたパワーコントロール領域で前記レーザービームの記録パワーをテストし、テスト結果によって決定された記録パワーを使用して前記記録媒体の所定情報が記録されたユーザーデータ領域の少なくとも一部領域にユニークパターンを記録することを特徴とする装置。
【請求項１２】
前記制御部は、前記テスト結果情報が検索されれば、そのテスト結果情報によって決定された記録パワーを使用して前記ユーザーデータ領域の少なくとも一部領域にユニークパターンを記録することを特徴とする請求項１１に記載の装置。
【請求項１３】
前記制御部は、
前記ユニークパターンが記録された部分が、消去された領域でありかつ将来の記録のために利用可能な領域であることを表示する表示子を生成することを特徴とする請求項１１に記載の装置。
【請求項１４】
前記制御部は、
前記ユニークパターンが記録された部分に関する情報を知らせる消去情報を前記記録媒体のリードイン領域に記録することを特徴とする請求項１１に記載の装置。
【請求項１５】
前記制御部は、
前記ユニークパターンが記録された部分の位置を知らせる位置ポインタを前記消去情報として前記記録媒体のリードイン領域に記録することを特徴とする請求項１４に記載の装置。
【請求項１６】
前記制御部は、
前記記録媒体のリードイン領域に備えられたパワーコントロール領域で記録パワーをテストすることを特徴とする請求項１１に記載の装置。
【請求項１７】
前記制御部は、
前記ユニークパターンが記録された部分の先頭に消去された領域であることを知らせるフラグ情報を記録することを特徴とする請求項１１に記載の装置。
【請求項１８】
記録媒体において、
記録媒体に／からデータを記録／再生する記録／再生装置からのレーザービームの記録パワーのテストのために備えられたパワーコントロール領域と、記録パワーのテスト結果に関する情報を記録しておく記録管理領域が備えられたリードイン領域と、
消去された領域がＤＣ消去レベルで消去されずに前記記録／再生装置が前記消去された領域に新しいデータを記録できるように、ユニークパターンが前記ユーザーデータ領域に記録される時、部分的にまたは完全に消去されたと設定されるユーザーデータ領域と、
を含むことを特徴とする記録媒体。
【請求項１９】
前記リードイン領域は、前記ユニークパターンが記録されたユーザー領域の一部が消去された領域であることを表す消去情報を含むことを特徴とする請求項１８に記載の記録媒体。
【請求項２０】
前記ユニークパターンが記録された領域の先頭には消去された部分であることを知らせるフラグ情報が記録されることを特徴とする請求項１８に記載の記録媒体。
【請求項２１】
記録媒体に記録された情報を消去する方法を行うコンピュータ判読可能な記録媒体において、前記方法は、
前記記録媒体に備えられた記録管理領域に記録された記録パワーに関するテスト結果情報を検索する段階と、
前記テスト結果情報が検索されればそのテスト結果情報を再生する段階と、
再生されたテスト結果に基づいた記録パワーを使用して前記記録媒体の所定情報が既に記録されたユーザーデータ領域の少なくとも一部領域にユニークパターンを記録する段階と、
を含むことを特徴とする記録媒体。
【請求項２２】
記録媒体に記録された情報を消去する方法を行うプログラムが記録されたコンピュータ判読可能な記録媒体において、前記方法は、
前記記録媒体に備えられた記録管理領域に記録された記録パワーに関するテスト結果情報を検索する段階と、
前記テスト結果情報検索で前記テスト結果情報が検索されなければ前記記録媒体に備えられたパワーコントロール領域で記録パワーをテストする段階と、
前記記録パワーテスト結果に基づいた記録パワーを使用して前記記録媒体の所定情報が既に記録されたユーザーデータ領域の少なくとも一部領域にユニークパターンを記録する段階と、
を含むことを特徴とする記録媒体。
【発明の詳細な説明】
【技術分野】
【０００１】
本発明は反復記録可能な記録媒体に係り、より詳細には、反復記録可能な記録媒体に記録された情報を消去する方法及び装置、その方法を行うコンピュータ判読可能コードを含むコンピュータ判読可能な媒体及びその記録媒体に関する。
【背景技術】
【０００２】
記録媒体としての光ディスクの場合、再生専用ＤＶＤを経て最近には記録可能なＤＶＤ市場が本格的に形成されている。記録可能なＤＶＤとしては、一回記録（Ｗｒｉｔｅ−ｏｎｃｅ）ディスクであるＤＶＤ−Ｒと、反復記録可能なＤＶＤ−ＲＡＭ、ＤＶＤ−ＲＷ、ＤＶＤ＋ＲＷなどがある。
【０００３】
ＤＶＤ−ＲＡＭ、ＤＶＤ＋ＲＷ及びＤＶＤ−ＲＷはいずれも相変化膜で形成された記録膜を有する。相変化膜は温度によって結晶質または非晶質に形成される特性を有するために、レーザービームのパワーを適切に調節して記録膜を結晶質または非晶質に形成して情報を記録する。一般的に、非晶質に形成された部分はマークとなり、結晶質に形成された部分はスペースとなり、それぞれデジタルデータ「１」と「０」とに対応する。
【０００４】
ＤＶＤ−ＲＡＭの場合、既に所定情報が記録されているディスクの少なくとも一部区間に他の情報を記録しようとする場合、記録されている情報を消去せずにその上にオーバーライト方式で情報を記録する。ＤＶＤ＋ＲＷ及びＤＶＤ−ＲＷの場合もＤＯＷ（Ｄｉｒｅｃｔ Ｏｖｅｒ Ｗｒｉｔｅ）システムを採用しており、既存の情報を消去せずにその上にオーバーライトする方式で新しい情報を一回で記録する。
【０００５】
オーバーライト方式によれば、既存のマークが消去されてスペースに転換されるかまたは既存のスペースがマークに転換され、既存のマークとスペースとがスペースとマークとに転換されることもある。しかし、このようなオーバーライト方式は記録膜の劣化を催促して記録特性を徐々に悪化させる。
【０００６】
一方、ＤＶＤ−ＲＷは既に記録された情報をＤＣ消去パワーレベルで消去できる消去モードとブランクモードとを定義している。一般的に記録パワーレベルには３つのパワーレベル、すなわち、記録パワーレベル、消去パワーレベル、判読パワーレベルがある。ＤＣ消去パワーレベルは一般的に記録パワーレベルよりも低い。例えば、ＤＶＤ−ＲＷに記録するための入射光ビームのパワーレベルは少なくとも記録パワーレベル以上である必要がある。しかし、ＤＣ消去モードによりユーザーデータ領域に記録された情報を消去した後に記録するとしても約３００回を超過すれば記録特性が顕著に悪くなる。ブランクモードとは、ディスクのユーザーデータ領域に記録された情報をすべて消去して空ディスクを作ることをいう。記録メディアは通常１０００回以上再記録時にもその記録品質を保証せねばならないが、実際にＤＶＤ−ＲＷは消去モード／ブランクモードにより情報を消去した後に再記録するとしても約３００回を超過すればその記録特性が悪くなるのでディスクの寿命及び記録品質を保証し難い。
【発明の開示】
【発明が解決しようとする課題】
【０００７】
したがって、本発明が解決しようとする技術的課題は、記録媒体において既に記録された少なくとも一部の情報を消去してからその上に新しく再記録する場合にその記録特性をさらに向上させうる消去方法及び装置、記録媒体及びその方法を行うプログラムが記録されたコンピュータ判読可能記録媒体を提供することである。
【課題を解決するための手段】
【０００８】
前記技術的課題は、記録媒体に記録された情報を消去する方法において、前記記録媒体に備えられた記録管理領域に記録された記録パワーに関するテスト結果情報を検索する段階と、前記テスト結果情報が検索されればそのテスト結果情報を再生する段階と、再生したテスト結果に基づいた記録パワーを使用して前記記録媒体の所定情報が既に記録されたユーザーデータ領域の少なくとも一部領域にユニークパターンを記録する段階と、を含むことを特徴とする方法により解決される。
【０００９】
また、前記技術的課題は、記録媒体に記録された情報を消去する方法において、前記記録媒体に備えられた記録管理領域に記録された記録パワーに関するテスト結果情報を検索する段階と、前記テスト結果情報検索で前記テスト結果情報が検索されなければ前記記録媒体に備えられたパワーコントロール領域で記録パワーをテストする段階と、前記記録パワーテスト結果に基づいた記録パワーを使用して前記記録媒体の所定情報が既に記録されたユーザーデータ領域の少なくとも一部領域にユニークパターンを記録する段階と、を含むことを特徴とする方法によって解決される。
【００１０】
前記方法は、前記ユニークパターンが記録された領域が将来の記録のために利用可能な消去された領域であることを表す表示子を前記記録媒体に保存する段階をさらに含み、前記表示子は前記記録媒体のリードイン領域に保存された消去情報であり、前記消去情報は前記記録されたユニークパターンの位置を表す位置ポインタを含む。
【００１１】
一方、本発明の他の分野によれば、前記技術的課題は、記録媒体に情報を記録する装置において、情報を前記記録媒体に記録するためのデータ形式に変調する変調部と、レーザービームが前記記録媒体に照射されて前記変調部により変調された情報が前記記録媒体に記録されるようにレーザーダイオードを駆動するレーザー駆動部と、前記レーザービームを受光し、受光されたレーザービームに関する情報を出力する受光部と、前記情報を前記変調部に提供し、前記受光部から提供された前記レーザービームに関する情報を参照して前記変調された情報が前記記録媒体に記録されるように前記レーザー駆動部のパワーを制御する制御部と、を含み、前記制御部は、前記受光部を通じて前記記録媒体から反射されたレーザービームを受光して前記記録媒体の記録管理領域に記録されたテスト結果情報を検索し、対応するテスト結果情報が検索されなければ、前記記録媒体に備えられたパワーコントロール領域で前記レーザービームの記録パワーをテストし、テスト結果によって決定された記録パワーを使用して前記記録媒体の所定情報が記録されたユーザーデータ領域の少なくとも一部領域にユニークパターンを記録することを特徴とする装置によっても解決される。
【００１２】
一方、本発明の他の分野によれば、前記技術的課題は、記録媒体において、記録媒体に／からデータを記録／再生する記録／再生装置からのレーザービームの記録パワーのテストのために備えられたパワーコントロール領域と、記録パワーのテスト結果に関する情報を記録しておく記録管理領域が備えられたリードイン領域と、消去された領域がＤＣ消去レベルで消去されずに前記記録／再生装置が前記消去された領域に新しいデータを記録できるようにユニークパターンが前記ユーザーデータ領域に記録される時、部分的にまたは完全に消去されたと設定されるユーザーデータ領域と、を含むことを特徴とする記録媒体によっても解決される。
【００１３】
前記リードイン領域は前記ユニークパターンが記録されたユーザー領域の一部が消去された領域であることを表す消去情報を含み、前記ユニークパターンが記録された領域の先頭には消去された部分であることを知らせるフラグ情報が記録されることが望ましい。
【発明の効果】
【００１４】
本発明によれば、反復記録可能なディスクにおいて、既に記録された少なくとも一部の情報を消去してからその上に新しい情報を再記録する場合にその記録特性をさらに向上させうる。換言すれば、ユニークパターンを記録して情報を消去する消去モード及びブランクモードを導入することによって記録特性及び再生特性を向上させうる。
【発明を実施するための最良の形態】
【００１５】
以下、添付された図面を参照して本発明の望ましい実施例を詳細に説明する。
【００１６】
図１は、本発明の望ましい実施例による記録装置のブロック図である。
【００１７】
図１を参照すれば、記録装置はディスク１００の記録面に相変化を利用して情報を記録するための装置であって、レーザーダイオード１、受光部２、レーザー駆動部３、変調部４及び制御部５を含む。
【００１８】
変調部４は、所定情報をディスク１００に記録するためのデータ形式に変調する。より具体的には、変調部４はディスク１００に記録されるための情報をチャンネル変調して得られたデータを出力する。本実施例でチャンネル変調としては８／１６変調とＮＲＺＩ（Ｎｏｎ Ｒｅｔｕｒｎ ｔｏ Ｚｅｒｏ Ｉｎｖｅｒｓｅ）とが採用されて最終的に変調部４はＮＲＺＩデータを出力する。
【００１９】
受光部２は、レーザーダイオード１から発振されてディスク１００から反射されたレーザービームを受光し、受光されたレーザービームに関する情報を制御部５に出力する。制御部５はディスク１００に記録しようとする情報を変調部４に提供する一方、受光部２から提供されたレーザービームに関する情報を参照して変調部４に提供されて変調された情報がディスク１００に記録されるようにレーザー駆動部３に制御信号を出力する。
【００２０】
レーザー駆動部３は、制御部５からの制御信号によって変調部４から出力されたＮＲＺＩデータがディスク１００の記録面に記録されるようにレーザーダイオード１を駆動し、レーザーダイオード１はレーザー駆動部３の駆動命令によってディスク１００の記録面に向けてレーザーを発振する。これにより、ディスク１００の記録面にはマークとスペースとが形成されつつ所定情報が記録される。
【００２１】
特に、制御部５は本発明に従ってユニークパターンを記録することによってディスク１００に記録された情報を消去する。さらに、制御部５は本発明による消去モード及びブランクモードのうち少なくとも一つを支援する。より詳細な説明は後述する。
【００２２】
図２は、ディスク１００の構造図である。
【００２３】
図２を参照すれば、ディスク１００にはリードイン領域、ユーザーデータ領域及びリードアウト領域が配置されている。リードイン領域はディスク１００の内周側に位置し、リードアウト領域はディスク１００の外周側に位置する。ユーザーデータ領域はリードイン領域とリードアウト領域との間に位置する。ユーザーデータ領域はユーザーデータが記録される領域である。特に、本発明に係るリードイン領域にはパワーコントロール領域ＰＣＡ（Ｐｏｗｅｒ Ｃｏｎｔｒｏｌ Ａｒｅａ）と記録管理領域ＲＭＡ（Ｒｅｃｏｒｄｉｎｇ Ｍａｎａｇｅｍｅｎｔ Ａｒｅａ）とが備えられている。
【００２４】
パワーコントロール領域は、記録装置がパワーの強度をテストするために備えられた領域である。記録管理領域は、記録装置のパワーの強度に関するテスト結果情報を記録しておく領域である。
【００２５】
したがって、同じ記録装置である場合、再びパワーに対するテストをしなくても記録管理領域に記録されたテスト結果情報に基づいてパワーの強度を決定できる。これにより、図１の記録装置は、記録管理領域に活用可能なテスト結果情報が記録されているかどうかを検索した後、情報が検索されなければパワーコントロール領域でレーザービームのパワーをテストし、テスト結果によって決定されたパワーを使用してディスク１００の所定情報が記録されたユーザーデータ領域の少なくとも一部にユニークパターンを記録して情報を消去する。より詳細な説明は後述する。
【００２６】
図３Ａないし図３Ｄは、本発明の望ましい実施例によってユニークパターンが記録されることによって情報が消去された区間を有するディスクの概略図である。
【００２７】
図３Ａを参照すれば、ユニークパターンは反復される「０」で構成される。「０」の数は、ユーザーデータ領域、リードイン領域及びリードアウト領域に所定情報を記録するために連続的かつ反復的に使われる「０」の数と別途に決定される必要がある。
【００２８】
図３Ｂを参照すれば、ユニークパターンは反復される「Ｆ」で構成される。「Ｆ」という１６進数で１５を示す。「Ｆ」の数もまた、ユーザーデータ領域、リードイン領域及びリードアウト領域に所定情報を記録するために連続的かつ反復的に使われる「Ｆ」の数と別途に決定される必要がある。
【００２９】
図３Ｃを参照すれば、ユニークパターンは反復される「０１」で構成される。「０１」の数もまた、ユーザーデータ領域、リードイン領域及びリードアウト領域に所定情報を記録するために連続的かつ反復的に使われる「０１」の数と別途に決定される必要がある。
【００３０】
図３Ｄを参照すれば、ユニークパターンは反復される「ＦＦ００」で構成される。「ＦＦ００」の数もまた、ユーザーデータ領域、リードイン領域及びリードアウト領域に所定情報を記録するために連続的かつ反復的に使われる「ＦＦ００」の数と別途に決定される必要がある。
【００３１】
前記のように、ユニークパターンはユーザーデータ領域、リードイン領域及びリードアウト領域に所定情報を記録するために使われるパターンと同一でない。したがって、ユニークパターンが記録された領域はユーザーデータ領域、リードイン領域及びリードアウト領域の情報が記録された領域と区分され、したがって、図１の記録装置はユニークパターンが記録された部分は情報が消去された領域であることが分かる。一方、ユニークパターンの構成は、前記の例以外にもユーザーデータ領域、リードイン領域及びリードアウト領域に所定情報を記録するために使われるパターンではないという条件を満たす範囲内で多様に決定されうる。
【００３２】
より具体的に、ユニークパターンは消去モード及びブランクモードで記録される。
【００３３】
消去モードで図１の記録装置は既に情報が記録された部分のうち一部を消去する。この時、従来のようにＤＣパワーを使用して消去せずに本発明に従ってユニークパターンを記録して消去する。すなわち、本発明による消去モードでは物理的に情報が消去されて結晶質スペースが形成されることではなく、ユニークパターンが記録される論理的消去がなされる。同様に、消去モードが選択されて所定情報が消去される度にユニークパターンを記録する方式で消去することではなく、例えば、奇数番目の選択された消去モードでのみユニークパターンを記録する方式で所定情報を消去するか、所定回数番目の選択された消去モードでのみユニークパターンを使用して所定情報を消去する方式で具現できることはもちろんである。この時、ユニークパターンが記録されずに消去がなされる場合には従来と同じくＤＣ消去がなされる。
【００３４】
ブランクモードはユーザーデータ領域全体を空けるモードを意味する。ブランクモードで図１の記録装置は既に記録された情報をすべて消去してディスク全体を空ける。この時、従来のようにＤＣパワーを使用して消去せず、本発明に従ってユニークパターンを記録して消去する。すなわち、本発明によるブランクモードでは物理的に情報が消去されて結晶質スペースが形成されることではなく、ユニークパターンが記録されて論理的に消去される。一方、ブランクモードが選択されてディスク全体が空けられる度にユニークパターンを記録する方式で消去することではなく、例えば、奇数番目の選択されたブランクモードでのみユニークパターンを記録する方式でディスクを空けるか、所定回数番目の選択されたブランクモードでのみユニークパターンを使用してディスクを空ける方式で具現できることはもちろんである。このような場合、ユニークパターンが記録されずに消去がなされる場合には従来のようにＤＣ消去がなされる。
【００３５】
図４Ａないし図４Ｃは、本発明の一実施例に従って消去モードでディスク１００に記録された情報を消去する過程を説明するための概要図である。
【００３６】
図４Ａは、ディスク１００のユーザーデータ領域を示す。斜線が引かれた部分は情報が記録された部分であり、残りの部分は空いている部分である。図４Ｂは、消去モードで本発明に従って図４Ａの情報が記録された部分の一部が消去された結果を示す。消去された部分にはユニークパターンを構成する「０」が反復的に記録されている。図４Ｃは、消去された部分の先頭にフラグ情報ｆが記録されていることを除いては図４Ｂと同一である。フラグ情報ｆは次につながる領域がユニークパターンが記録された部分であって消去された領域であることを知らせる。フラグ情報ｆが記録されることによって、ユニークパターンが記録されることによって消去された領域がさらに安定的に検出される。
【００３７】
図５Ａないし図５Ｃは、本発明の他の実施例に従ってブランクモードでディスク１００に記録された情報をすべて消去する過程を説明するための概要図である。
【００３８】
図５Ａは、ディスク１００のユーザーデータ領域を示す。斜線が引かれた部分は情報が記録された部分であり、残りの部分は空いている部分である。図５Ｂは、ブランクモードで本発明に従って図５Ａの情報が記録された部分にのみユニークパターンが記録されて消去されることによってユーザーデータ領域全体が空けられた場合を示す。消去された部分にはユニークパターンを構成する「Ｆ」が反復的に記録されている。図５Ｃは、ユーザーデータ領域全体にユニークパターンを構成する「Ｆ」を反復的に記録することによってユーザーデータ領域全体が空けられた場合を示す。このように、ブランクモードでは情報が記録された部分にのみユニークパターンを記録するか、ユーザーデータ領域全体にユニークパターンを記録することによってディスク１００を空ける。
【００３９】
図６Ａ及び図６Ｂは、本発明のまた他の実施例に従ってディスク１００に記録された情報を消去する過程を説明するための概要図である。
【００４０】
図６Ａを参照すれば、ディスク１００にはリードイン領域及びユーザーデータ領域が存在する。本実施例でユーザーデータ領域の斜線が引かれた部分は図５と同じく所定情報が記録された部分であり、ユニークパターンを構成する「０」が反復的に記録された部分は消去された消去領域を表し、残りの部分は空いている部分を表す。さらに、本実施例でリードイン領域には消去情報が記録される。消去情報はユーザーデータ領域にユニークパターンが記録されて情報が消去された領域が存在するかどうかを知らせる情報、及びユニークパターンが記録された部分の位置を知らせる位置ポインタを含む。リードイン領域から消去情報を再生することによって、図１の記録装置は、ユーザーデータ領域にユニークパターンが記録されて情報が消去された部分が存在することが分かる。
【００４１】
図６Ｂは、消去モードまたはブランクモードでユニークパターンを構成する「Ｆ」が反復的に記録されることによってユーザーデータ領域にその間記録された所定情報がすべて消去された場合を示す。したがって、リードイン領域に記録された消去情報はユーザーデータ領域に記録された所定情報がすべて消去されたことを知らせる情報を含む。これにより、図１の記録装置は、ユーザーデータ領域の情報が記録された部分にユニークパターンが再記録されることによってその間ユーザーデータ領域に記録された情報がすべて消去されたことが分かる。
【００４２】
前記のような構成に基づいて本発明の望ましい実施例に従って反復記録可能なディスクに記録された情報を消去する方法を説明すれば次の通りである。
【００４３】
図７は、本発明による消去方法を説明するためのフローチャートである。
【００４４】
図７を参照すれば、記録装置は、ディスク１００が挿入されればディスク１００に備えられた記録管理領域に記録された記録パワーに関するテスト結果情報を検索する（７０１段階）。対応するテスト結果情報が検索されれば（７０２段階）、そのテスト結果情報を再生した後（７０３段階）、再生されたテスト結果に従って決定された記録パワーを使用してディスク１００の所定情報が記録されたユーザーデータ領域の少なくとも一部領域にユニークパターンを記録することによって情報を消去する（７０４段階）。
【００４５】
ディスク１００に備えられた記録管理領域に対応するテスト結果情報が検索されなければ（７０２段階）、ディスク１００に備えられたパワーコントロール領域で記録パワーをテストし（７０５段階）、テスト結果に従って決定された記録パワーを使用してディスク１００の所定情報が記録されたユーザーデータ領域の少なくとも一部領域にユニークパターンを記録することによって情報を消去する（７０６段階）。さらに、ユニークパターンが記録された領域は情報が記録されずに空いている領域であることを表示する（７０７段階）。たとえば、ユニークパターンが記録されて消去された部分を知らせる消去情報をリードイン領域に記録するか、ユニークパターンが記録された部分の先頭に消去された領域であることを知らせるフラグ情報を記録する。
【００４６】
一方、前述した消去方法はコンピュータで実行されるコンピュータプログラムで作成されうる。そのコンピュータプログラムを構成するコード及びコードセグメントは当該分野のコンピュータプログラマーによって容易に推論されうる。また、前記プログラムはコンピュータが再生できる情報保存媒体に保存され、コンピュータによって再生・実行されることによって前記消去方法を具現する。前記情報保存媒体は磁気記録媒体、光記録媒体、及びキャリアウェーブ媒体を含む。
【産業上の利用可能性】
【００４７】
本発明は、反復記録可能な記録媒体に記録された情報を消去する記録／再生装置に利用できる。このような反復記録可能な記録媒体としては、一回記録ディスクであるＤＶＤ−Ｒと、反復記録可能なＤＶＤ−ＲＡＭ、ＤＶＤ−ＲＷ、ＤＶＤ＋ＲＷなどがある。
【図面の簡単な説明】
【００４８】
【図１】本発明の望ましい実施例による記録装置のブロック図である。
【図２】図１のディスク１００の構造図である。
【図３Ａ】本発明の望ましい実施例に従ってユニークパターンが記録されることによって情報が消去された区間を有するディスクの概略図である。
【図３Ｂ】本発明の望ましい実施例に従ってユニークパターンが記録されることによって情報が消去された区間を有するディスクの概略図である。
【図３Ｃ】本発明の望ましい実施例に従ってユニークパターンが記録されることによって情報が消去された区間を有するディスクの概略図である。
【図３Ｄ】本発明の望ましい実施例に従ってユニークパターンが記録されることによって情報が消去された区間を有するディスクの概略図である。
【図４Ａ】本発明の一実施例に従って消去モードでディスク１００に記録された情報を消去する過程を説明するための概要図である。
【図４Ｂ】本発明の一実施例に従って消去モードでディスク１００に記録された情報を消去する過程を説明するための概要図である。
【図４Ｃ】本発明の一実施例に従って消去モードでディスク１００に記録された情報を消去する過程を説明するための概要図である。
【図５Ａ】本発明の他の実施例に従ってブランクモードでディスク１００に記録された情報をいずれも消去する過程を説明するための概要図である。
【図５Ｂ】本発明の他の実施例に従ってブランクモードでディスク１００に記録された情報をいずれも消去する過程を説明するための概要図である。
【図５Ｃ】本発明の他の実施例に従ってブランクモードでディスク１００に記録された情報をいずれも消去する過程を説明するための概要図である。
【図６Ａ】本発明のまた他の実施例に従ってディスク１００に記録された情報を消去する過程を説明するための概要図である。
【図６Ｂ】本発明のまた他の実施例に従ってディスク１００に記録された情報を消去する過程を説明するための概要図である。
【図７】本発明による消去方法を説明するためのフローチャートである。
【符号の説明】
【００４９】
１  レーザーダイオード
２  受光部
３  レーザー駆動部
４  変調部
５  制御部
【図１】
2004319083.tif 000003
【図２】
2004319083.tif 000004
【図３Ａ】
2004319083.tif 000005
【図３Ｂ】
2004319083.tif 000006
【図３Ｃ】
2004319083.tif 000007
【図３Ｄ】
2004319083.tif 000008
【図４Ａ】
2004319083.tif 000009
【図４Ｂ】
2004319083.tif 000010
【図４Ｃ】
2004319083.tif 000011
【図５Ａ】
2004319083.tif 000012
【図５Ｂ】
2004319083.tif 000013
【図５Ｃ】
2004319083.tif 000014
【図６Ａ】
2004319083.tif 000015
【図６Ｂ】
2004319083.tif 000016
【図７】
2004319083.tif 000017